(57)【要約】【課題】既存のラックキャビネットに手を加えることなく、ラックマウントサーバシステムの低騒音化の実現を可能とする、静音化システムを提供する。【解決手段】ラックキャビネットに単独で実装可能なように、サーバ１１からの排気・騒音を受ける吸気ダクト部１と排気ダクト部２とを独立することで、ラックキャビネットに搭載されるサーバ数の増減・サイズ変更にも排気ダクト部２の取り外しのみで対応可能となる。【選択図】  図５
2008028085.tif 000002
【特許請求の範囲】
【請求項１】
電子機器をラックキャビネットに実装するラックマウント型電子機器システムであって、
前記電子機器の背面からの排気を吸気して上昇する空気流路を有し、内壁面に吸音材を装着した吸気ダクト部と、該吸気ダクト部と連通され、該連通された背面側から前面側に流す往空気流路と前面側から背面側に流して排気する往空気流路とを有し、内壁面に吸音材を装着した排気ダクト部とを有する静音化ダクトシステムを、前記吸気ダクト部が前記電子機器の背面位置に装着され、前記排気ダクト部が前記ラックキャビネットの上段に装着されて構成することを特徴とするラックマウント型電子機器システム。
【請求項２】
請求項１に記載の静音化ダクトシステムにおいて、前記吸気ダクト部を、実装されるサーバの台数およびサイズに合わせて順次増設することを可能に構成し、該構成された吸気ダクト部と前記排気ダクト部とを連結可能に構成することを特徴とするラックマウント型電子機器システム。
【請求項３】
請求項１又は２に記載の静音化ダクトシステムにおいて、前記排気ダクト内部の空気流路として蛇行構造をとることを特徴とするラックマウント型電子機器システム。
【請求項４】
電子機器をラックキャビネットに実装するラックマウント型電子機器システムであって、
前記電子機器の背面からの排気を吸気して上昇する空気流路を有し、内壁面に吸音材を装着した吸気ダクト部と、該吸気ダクト部と連通され、該連通された背面側から前面側に流す往空気流路と前面側から背面側に流して排気する往空気流路とを有し、内壁面に吸音材を装着した排気ダクト部とを有する前記ラックキャビネットとは独立した静音化ダクトシステムを既存のラックキャビネットに搭載して構成したことを特徴とするラックマウント型電子機器システム。
【発明の詳細な説明】
【技術分野】
【０００１】
本発明は、ラックマウント型電子機器システム（ラックマウントサーバシステム）の低騒音化技術に関わる。
【背景技術】
【０００２】
電子機器に用いられる半導体、とりわけ情報処理装置のＣＰＵに代表されるような半導体の進化はすさまじく、高発熱量・高密度化の一途をたどっているのは周知の事実である。装置の発熱量増大に伴い、冷却のためのファン実装数、あるいは回転数の増大により、装置の騒音値も上昇傾向にある。
【０００３】
近年では、サーバ等の情報処理装置のシステム構成・収納および設置において、ラックマウント方式が主流となっている。ラックマウント方式とは、各々の機能を持った装置を特定の規格に基づき形成されたラックキャビネットに段積み搭載するもので、各装置の選択・配置を自由に行え、システム構成の柔軟性・拡張性に優れ、システム全体の占有面積も縮小できるという利点がある。
【０００４】
特に、サーバ関連ではＩＥＣ規格（International Electrical Commission）／ＥＩＡ規格（The Electrical Industries Association）に規定された１９インチラックキャビネットが主流となっており、装置を搭載するための支柱の左右間口寸法を４５１ｍｍ、搭載における高さ寸法を１Ｕ（１ＥＩＡ）＝４４．４５ｍｍという単位で規定されている。
【０００５】
しかし、前述の通り装置単体での騒音が上昇傾向にあるため、ラックキャビネットに多段搭載した際のラックシステム全体としての騒音は非常に大きくなり、管理された電子計算室専門のルーム以外での使用は、困難な状況になっている。
【０００６】
一方、ラックキャビネットに装置を多段搭載した際の騒音低減については、例えば、特開２０００−２７７９５６号公報（特許文献１）に記載されているように、ラック内に専用のエアダクトを設け、ラックキャビネット内の排気効率化を図るともに、エアダクト内に吸音材を貼り、騒音低減を図るものが知られている。
【０００７】
【特許文献１】特開２０００−２７７９５６号公報
【発明の開示】
【発明が解決しようとする課題】
【０００８】
しかしながら、上記特許文献１に記載された技術では、既存のラックキャビネットに対しての適用が困難な他、十分な吸音材を用いるスペースが取れず、騒音低減効果は乏しい。また、専用のラックキャビネットとなるため、既存のラックキャビネットへの対応は不可能である。
【０００９】
本発明の目的は、上記課題を解決すべく、既存のラックキャビネットに改造を加えることなく、騒音低減を図ることが可能としたサーバ等の電子機器（情報処理装置）を搭載したラックマウント型電子機器システムを提供することにある。
【課題を解決するための手段】
【００１０】
上記目的を達成するために、本発明は、電子機器をラックキャビネットに実装するラックマウント型電子機器システムであって、前記電子機器の背面からの排気を吸気して上昇する空気流路を有し、内壁面に吸音材を装着した吸気ダクト部と、該吸気ダクト部と連通され、該連通された背面側から前面側に流す往空気流路と前面側から背面側に流して排気する往空気流路とを有し、内壁面に吸音材を装着した排気ダクト部とを有する静音化ダクトシステムを、前記吸気ダクト部が前記電子機器の背面位置に装着され、前記排気ダクト部が前記ラックキャビネットの上段に装着されて構成することを特徴とする。
【００１１】
また、本発明は、前記静音化ダクトシステムにおいて、前記吸気ダクト部を、実装されるサーバの台数およびサイズに合わせて順次増設することを可能に構成し、該構成された吸気ダクト部と前記排気ダクト部とを連結可能に構成することを特徴とする。
【００１２】
また、本発明は、前記静音化ダクトシステムにおいて、前記排気ダクト内部の空気流路として蛇行構造をとることを特徴とする。
【００１３】
また、本発明は、電子機器をラックキャビネットに実装するラックマウント型電子機器システムであって、前記電子機器の背面からの排気を吸気して上昇する空気流路を有し、内壁面に吸音材を装着した吸気ダクト部と、該吸気ダクト部と連通され、該連通された背面側から前面側に流す往空気流路と前面側から背面側に流して排気する往空気流路とを有し、内壁面に吸音材を装着した排気ダクト部とを有する前記ラックキャビネットとは独立した静音化ダクトシステムを既存のラックキャビネットに搭載して構成したことを特徴とする。
【００１４】
また、本発明は、電子機器をラックキャビネットに実装するラックマウント型電子機器システムであって、ラックキャビネットとは独立した静音化ダクトシステムを既存のラックキャビネットに追加搭載するように構成することで、ラックキャビネットの構造を変更することなく、低騒音化を図ることができることを特徴とする。
【発明の効果】
【００１５】
本発明によれば、サーバ等の電子機器（情報処理装置）を搭載したラックマウントサーバシステムにおいて、既存のラックキャビネットに改造を加えることなく、騒音低減を図ることが可能となる。
【００１６】
また、本発明によれば、例えば吸気ダクトのアタッチメントを追加することで、ラックに実装されているサーバの台数およびサイズに合わせて、順次増設が可能となる。
【発明を実施するための最良の形態】
【００１７】
以下、本発明に係る静音化ダクトシステムを備えたラックマウント型電子機器システム（ラックマウントサーバシステム）の実施の形態について図面を参照して説明する。
【００１８】
図１は本発明に係る静音化ダクトシステムの全景斜視図である。図２はラックマウント型電子機器システムに、吸気ダクト部及び排気ダクト部を有する静音化ダクトシステム２０を装着（連結）させた状態の一実施の形態を示す側面図である。ラックマウント型電子機器システムにおける情報処理装置などの電子機器（以降サーバと称する。）１１は、内部に送風機を有し、前面から吸気し、背面から排気される。本静音化ダクトシステム２０は、ラックマウント型電子機器システムにおけるサーバ１１の背面に設けられてサーバ１１からの排気を受ける吸気ダクト部１と、該吸気ダクト部１に繋げられて上記ラックマウント型電子機器システムの上段（最上段に搭載されたサーバ１２の上段）に搭載される、排気の流れ９の長さを長くして静音化をはかるために往復空気流路を形成する排気ダクト部２とから構成される。
【００１９】
吸気ダクト部１はダクト状に形成され、サーバ１１の背面からの排気を吸気する開口３を有し、上面には排気部２と排気の流れ９を連通するための開口４を有する。なお、吸気ダクト部１は、通常１台のサーバを構成するサーバ数及びその高さに応じて装着（搭載）されるため、上下に隣接する吸気ダクト部の間においては排気の流れ９を連通させる開口が形成される。また、最下位に位置する吸気ダクト部１の底面８にはサーバ１１の背面に接続された電源ケーブル・ＩＯケーブル等１０を通すために、切れ込みの入った伸縮性の高いゴムやスポンジ等にて塞がれた構造を有する。排気ダクト部２は内部に仕切り６を設けてダクト状に形成され、背面側の下面に吸気ダクト部１と連通するための開口５を有し、図３に示すように、内部に排気の流れ９を往復させる仕切り６を設け、上側背面に排気の出口（開口）７を有する。更に、吸気ダクト部１及び排気ダクト部２において、開口以外は壁面によって形成され、内壁面には吸音材が装着される。
【００２０】
従って、サーバ１１の背面からの排気は、吸気ダクト部１の開口３を通して吸気して内壁面に沿って上昇して開口４及び開口５を通過し、排気ダクト部２の背面部へと流れる。該排気ダクト部２の背面部へ流れた排気は、排気ダクト部２の底面と内部に設置された仕切り６との間の往空気流路を通過して背面側から前面側に流し、排気ダクト部２の上面と上記仕切り６との間の復空気流路を通過して前面側から背面側に流し、最終的に出口（開口）７より排気されて長い空気流路によって圧力損失も少なく、静音化がはかれることになる。
【００２１】
なお、吸排気に関わる面３、４、５、７はすべて完全開口となっているが、吸気ダクト部１の底面８はサーバ背面に接続された電源ケーブル・ＩＯケーブル等１０を通すために、切れ込みの入った伸縮性の高いゴムやスポンジ等にて塞がれた構造となっている。また、排気ダクト部２において、図３に示すように、排気ダクト部２の底面と仕切り６との間の往空気流路内及び排気ダクト部２の上面と仕切り６との間の復空気流路内に複数の邪魔板（開口部を上側と下側とに交互に設けて）を設けて排気の流れ９を複数蛇行させて静音化をはかるように構成してもよい。しかしながら、排気の流れ９に多く蛇行させすぎると、圧力損失が大きくなり、冷却性能を落とすことになる。そこで、圧力損失が大きくならないように排気部２内の蛇行構造１４を設計する必要がある。
【００２２】
このように、吸気ダクト部１及び排気ダクト部２を備えて構成される静音化ダクトシステム２０において、吸気ダクト部１及び排気ダクト部２の内面壁に吸音材を装着し、しかも排気ダクト部２の内部において背面側から前面側に流し、前面側から背面に流す往復空気流路をとることによって、ラックキャビネットとは独立した静音化ダクトシステム２０を既存のラックキャビネットに追加搭載することで、ラックキャビネットの構造を変更することなく、しかもラックに搭載されるサーバの台数が増加しても全体のシステムとして低騒音化を図ることができる。
【００２３】
また、吸気ダクト部において、サーバの台数が増加しても増加したサーバの台数に応じたサーバ数及びその高さに応じたアタッチメントを追加し、該追加された吸気ダクト部１に排気ダクト部２を繋げて該排気ダクト部２をラックキャビネットの上段に搭載することで、静音化ダクトシステム２０全体として、ラックに実装されているサーバの台数およびサイズに合わせて、順次増設することが可能となる。
【００２４】
以上説明したように、本発明に係る実施の形態によれば、ラックキャビネットに単独で実装可能なように、サーバからの排気・騒音を受ける吸気ダクト部１と排気ダクト部２を独立にすることで、ラックキャビネットに搭載されるサーバ数の増減・サイズ変更にも排気ダクト部２の取り外しのみで対応可能となる。
【００２５】
次に、本発明に係る静音化ダクトシステムを備えたラックマウント型電子機器システム（ラックマウントサーバシステム）の実施の形態について図４及び図５を用いて説明する。図４は所定のサーバ数からなる複数台のサーバ１１が搭載されたラック１３に本静音化ダクトシステム２０を搭載した状態での側面図である。各サーバ１１の前面より吸気された風が各サーバ背面の排気口を通り、９で示す流れに沿って本静音化ダクトシステム２０により排気される。ラック１３に搭載されたサーバの中でも、最上段に搭載されたサーバ１２の上段に排気ダクト部２を上記ラック１３に搭載して設置し、追加する吸気ダクトのアタッチメントも含めてサーバ数及びサーバ高さに応じて吸気ダクト部１をサーバ群の背面側に上記排気ダクト部２に対して連通するように装着する。なお、サーバの台数が増加しても増加したサーバの台数の各々に応じたサーバ数及びその高さに応じた吸気ダクトのアタッチメントを作っておくことで、サーバの台数が増加した際、この作っておいた吸気ダクトのアタッチメントを吸気ダクト部の上下途中に追加して吸気ダクト部の全体１を複数台のサーバの背面に装着すれば、実際にラック１３に搭載される全体のサーバ台数の高さに合わせることが可能となる。即ち、サーバ台数が増加しても増加したサーバ数及びその高さに応じた吸気ダクトのアタッチメントを追加し、排気ダクト部２を取り付ける（搭載する）だけで、静音化ダクトシステム２０をラックマウント型電子機器システム（ラックマウントサーバシステム）に装着することが可能となる。
【００２６】
図５は複数台のサーバ１１が搭載されているラック１３に本静音化ダクトシステム２０を搭載した状態での側面図である。図５では静音化ダクトシステム２０の吸気ダクト部１と排気ダクト部２がサーバ１１群から離れているが、上記の通り、実装する際は、ラック１３に搭載されるサーバの中で、最上段に設置されているサーバ１２の上段に排気ダクト部２を例えばラック前面側よりラック１３に搭載し、例えばラック背面側より必要に応じて増加したサーバ数及びその高さに合った吸気ダクトのアタッチメントを追加して吸気ダクト部の全体１を排気ダクト部２に対して連通して装着することで、サーバ搭載数が複数台の場合でも同様に対応可能である。
【図面の簡単な説明】
【００２７】
【図１】本発明に係る静音化ダクトシステムの一実施の形態の全景である排気部に吸気部を装着する状態を示す斜視図である。
【図２】本発明に係る静音化ダクトシステムの一実施の形態を示す側面部分断面図である。
【図３】本発明に係る排気部内部の蛇行構造の一実施例を示す側面部分断面図である。
【図４】図１に示す静音化ダクトシステムの一実施の形態をサーバがラックに複数台搭載されたラックマウントサーバシステムに実装した状態を示す側面図である。
【図５】図１に示す静音化ダクトシステムの一実施の形態をサーバがラックに複数台搭載されたラックマウントサーバシステムに実装した状態を示す斜視図である。
【符号の説明】
【００２８】
１…吸気ダクト部、２…排気ダクト部、３、４、５…開口、６…仕切り、７…開口（出口）８…ケーブル排出面、９…風の流れ、１０…ケーブル、１１…サーバ、１２…最上段に設置されたサーバ、１３…ラック、１４…排気部内部構造（蛇行構造）。
【図１】
2008028085.tif 000003
【図２】
2008028085.tif 000004
【図３】
2008028085.tif 000005
【図４】
2008028085.tif 000006
【図５】
2008028085.tif 000007